【事件の表示】
　特許第２８１２２９６号「パチンコ機」の特許に対する特許異議の申立てについて、次のとおり決定する。
【結論】
　訂正を認める。
　特許第２８１２２９６号の特許を維持する。
【理由】
（１）手続の経緯
　特許第２８１２２９６号の請求項１に係る発明についての出願は、平成７年１１月１３日に特許出願した特願平７−２９４５４９号の一部を平成８年４月２２日に新たな特許出願とし、平成１０年８月７日にその発明について特許の設定登録がなされた後、その特許について、特許異議申立人町田彬より、特許異議の申立てがなされ、平成１１年６月２５日付けで取消理由通知がなされ、その指定期間内である平成１１年８月２３日に訂正請求がなされたものである。
（２）訂正の適否についての判断
ア．訂正の内容
訂正事項ａ
　特許請求の範囲の請求項１の
　「複数の図柄を表示可能な図柄表示部が設けられており、図柄変動開始信号によりその図柄表示部の図柄が変動を開始し、所定時間後に確定表示し、確定表示した図柄が大当たり図柄である場合には、遊技者にとって価値ある特別遊技状態が生起するパチンコ機であって、
　前記大当たり図柄を確定表示する場合の内の少なくとも一部の場合に、その確定表示の前に、確定表示する大当たり図柄と同一あるいは異なる大当たり図柄を、遊技者に認識させ得る態様で一旦表示するとともに、
　前記大当たり図柄として、特定大当たり図柄と非特定大当たり図柄とが予め設定されており、
　確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、
　前記特定大当たり図柄を一旦表示した場合には、非特定大当たり図柄を確定表示しないことを特徴とするパチンコ機。」を
　「複数の図柄を表示可能な複数の表示部位を有する図柄表示部が設けられており、図柄変動開始信号によりその図柄表示部の各表示部位に表示された図柄が変動を開始し、所定時間後に確定表示し、確定表示した図柄の組み合わせが大当たり図柄である場合には、遊技者にとって価値ある特別遊技状態が生起するパチンコ機であって、
　前記大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示するとともに、
　前記大当たり図柄として、特定大当たり図柄と非特定大当たり図柄とが予め設定されており、
　確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、
　前記特定大当たり図柄を一旦表示した場合には、非特定大当たり図柄を確定表示しないことを特徴とするパチンコ機。」と訂正する。
訂正事項ｂ
　明細書中【０００６】欄（本件特許公報第２頁第４欄第５行〜第１４行）の
　「かかる本発明は、複数の図柄を表示可能な図柄表示部が設けられており、図柄変動開始信号によりその図柄表示部の図柄が変動を開始し、所定時間後に確定表示し、確定表示した図柄が大当たり図柄である場合には、遊技者にとって価値ある特別遊技状態が生起するパチンコ機であって、前記大当たり図柄を確定表示する場合の内の少なくとも一部の場合に、その確定表示の前に、確定表示する大当たり図柄と同一あるいは異なる大当たり図柄を、遊技者に認識させ得る態様で一旦表示することを特徴としている。」を
　「かかる本発明は、複数の図柄を表示可能な複数の表示部位を有する図柄表示部が設けられており、図柄変動開始信号によりその図柄表示部の各表示部位に表示された図柄が変動を開始し、所定時間後に確定表示し、確定表示した図柄の組み合わせが大当たり図柄である場合には、遊技者にとって価値ある特別遊技状態が生起するパチンコ機であって、前記大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示することを特徴としている。」と訂正する。
　訂正事項ｃ
　明細書中【００５４】欄（本件特許公報第７頁第１４欄第３３〜３６行）の
　「その確定表示の前に、確定表示する大当たり図柄と同一あるいは異なる大当たり図柄が、遊技者に認識させうる態様で一旦表示されるので」を
　「その確定表示の前に、リーチ図柄が揺れ動く態様で表示され、しかる後、確定表示する大当たり図柄と同一あるいは異なる大当たり図柄が、遊技者に認識させうる態様で一旦表示されるので」と訂正する。
イ．訂正の目的の適否、新規事項の有無及び拡張・変更の存否
　上記訂正事項ａは特許請求の範囲の減縮に該当し、上記訂正事項ｂ及びｃは発明の詳細な説明の記載を特許請求の範囲の記載に整合させるためのものであって、明りょうでない記載の釈明に該当し、これらの訂正事項は、願書に添付した明細書または図面に記載された事項の範囲内のものであって、実質的に特許請求の範囲を拡張または変更するものではない。
ウ．独立特許要件の判断
（本件発明）
　本件発明は平成１１年８月２３日付け訂正請求書により訂正された訂正明細書の請求項１に記載される事項により特定される次のとおりのものである。
　「複数の図柄を表示可能な複数の表示部位を有する図柄表示部が設けられており、図柄変動開始信号によりその図柄表示部の各表示部位に表示された図柄が変動を開始し、所定時間後に確定表示し、確定表示した図柄の組み合わせが大当たり図柄である場合には、遊技者にとって価値ある特別遊技状態が生起するパチンコ機であって、
　前記大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示するとともに、
　前記大当たり図柄として、特定大当たり図柄と非特定大当たり図柄とが予め設定されており、
　確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、
　前記特定大当たり図柄を一旦表示した場合には、非特定大当たり図柄を確定表示しないことを特徴とするパチンコ機。」
（引用刊行物）
　訂正明細書の請求項１に係る発明（以下「本件発明」という。）に対して、当審が平成１１年６月２５日付けの取消理由で引用した刊行物１〜４には、それぞれ以下のとおり記載されている。
刊行物１：特開昭６４−６２１８０号公報
　刊行物１には、上記公報の記載及び図面からみて、
　「複数の図柄を表示可能な図柄表示部が設けられており、図柄変動開始信号によりその図柄表示部の図柄が変動を開始し、所定時間後に確定表示し、確定表示した図柄が大当たり図柄である場合には、遊技者にとって価値ある特別遊技状態が生起するパチンコ機であって、前記大当たり図柄として、特定大当たり図柄と非特定大当たり図柄とが予め設定されており、確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起することを特徴とするパチンコ機。」が記載されている。
刊行物２：パチンコ攻略マガジン５月２７日号（２４〜２６頁）平成７年５月２７日、
　株式会社双葉社発行（甲第１号証）
刊行物３：パチンコ攻略マガジン１０月２８日号（１６〜１８頁）平成７年１０月２８日、
　株式会社双葉社発行（甲第２号証）
刊行物４：パチンコ必勝ガイド６月２日号（１５〜１７頁）平成７年６月２日、
　株式会社白夜書房発行（甲第３号証）
　刊行物２〜４には、そのいずれにも、大当たり図柄を確定表示する場合の内の少なくとも一部の場合に、その確定表示の前に、確定表示する大当たり図柄と同一あるいは異なる大当たり図柄を、遊技者に認識させ得る態様で一旦表示するとともに、かつ、特定大当たり図柄を一旦表示した場合には、非特定大当たり図柄を確定表示しない点が記載されている。
（対比・判断）
　本件発明と上記刊行物１〜４に記載された発明とを比較すると、これらの刊行物に記載の発明は、本件発明を特定する事項である
　「大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示する」構成を備えておらず、また、これを示唆する記載も認められない。
　本件発明は、上記構成を備えることにより、
　「非特定大当たり図柄の一部を構成する「リーチ図柄」が表示された場合でも、遊技者を不快な気分にさせない」という上記訂正請求書と共に提出した特許異議意見書で主張する顕著な効果を奏するものであるから、本件発明が、上記刊行物１〜４に記載された発明でないことは明らかであり、かつこれらの刊行物記載の発明に基づいて当業者が容易に発明をすることができたものとすることはできない。
　したがって、本件発明は、特許出願の際、独立して特許を受けることができないとすることができないとすることはできない。
エ．むすび
　以上のとおりであるから、上記訂正請求は、特許法第１２０条の４第２項及び同条第３項で準用する第１２６条第２−４の規定に適合するので、上記訂正を認める。
（３）特許異議の申立てについての判断
ア．本件発明
　本件発明は平成１１年８月２３日付け訂正請求書により訂正された訂正明細書の請求項１に記載される事項により特定される次のとおりのものである。（上記（２）のウ．参照）
イ．特許異議申立ての理由の概要
　特許異議申立人は、本件発明は、甲第１号証又は甲第２号証又は甲第３号証に記載されているから、特許法第２９条第１項第３号の規定により特許を受けることができない、もしくは甲第１号証又は甲第２号証又は甲第３号証と甲第４号証とに記載された発明に基づいて、当業者が容易に発明をすることができたものであるから、特許法第２９条第２項の規定により特許を受けることができないものであり、特許法第１１３条第１項第２号の規定により特許を取り消されるべきと主張している。
　そして、甲第１号証〜甲第３号証（当審で引用した刊行物２〜４）については上記（２）のウ．で述べた構成が記載されており、甲第４号証については、
　「一定の遊技条件の成立により可変表示ゲームが行われそのゲーム結果如何によって大入賞口が開放されその内部に遊技球を入賞させ易いサイクルの利益状態に所定時間変換し、その所定期間内に前記大入賞口に入賞した球がその大入賞口中の継続入賞口中に流入することを継続条件として前記サイクルの利益状態に再度変化し得る変動入賞装置を備えたパチンコ遊技機において、前記変動入賞装置が、前記サイクルの利益状態時に前記継続入賞口中に入った球を前記入賞口が閉じられるまでの間、前記継続入賞口中にその後の遊技球を受け入れない状態に保留する保留手段と、前記サイクルの利益状態時前記大入賞口中に流入する球を前記継続入賞口に案内する案内手段とを備えていることを特徴とするパチンコ遊技機。」（第１欄第２行〜第１５行）、
　「その開閉板３２１の前面側中央部には、前記取付基板３１１の前記大入賞口３１直下の挿通孔３１２を介して入賞空間中に入り込んで前記継続入賞検出器３３の検出孔３３ａ（この実施例では継続入賞口を兼ねている。）中に至った遊技球をその検出孔３３ａ中に一時的に係止させる保留手段として例示する係止片３２３がＵ字状に設けられている。」（第５欄第１８行〜第２４行）、
　「図２５には、第６実施例のパチンコ遊技機の変動入賞装置５００の斜視図を示す。この実施例では、開閉扉５２０が開いて大入賞口５３１が開放されたときに、保留部材５８０によって継続入賞口５３３ａ中に球が１個保留可能な状態（図２７）となり、その開閉扉５２０が閉じたときに、その保留されていた球がその継続入賞口５３３ａ中に飲み込まれるようにし、もって、特別遊技の１サイクル中に球が１個しか継続入賞口５３３ａ中に飲み込まれないようにしている。」（第２１欄第２７行〜第３５行）と記載されている。
ウ．判断
　上記甲第１号証〜甲第３号証（当審で引用した刊行物２〜４）及び甲第４号証に記載された発明は、いずれも本件発明を特定する事項である、「大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示する」構成を備えておらず、かつ、上記甲第１号証〜甲第４号証に記載された発明から当業者が上記構成を容易に想到し得たとも認められない。
　したがって、本件発明が甲第１号証又は甲第２号証又は甲第３号証に記載されているとも、甲第１号証又は甲第２号証又は甲第３号証と甲第４号証とに記載された発明に基づいて、当業者が容易に発明をすることができたものであるとすることもできない。
エ．むすび
　したがって、特許異議申立ての理由及び証拠によっては、本件の請求項１に係る発明の特許を取り消すことはできない。
　また、他に本件発明に係る特許を取り消すべき理由を発見しない。
　よって、結論のとおり決定する。
【異議決定日】
平成１１年１２月２０日（１９９９．１２．２０）
【訂正の要旨】
訂正事項ａ
　特許請求の範囲の請求項１の
　「複数の図柄を表示可能な図柄表示部が設けられており、図柄変動開始信号によりその図柄表示部の図柄が変動を開始し、所定時間後に確定表示し、確定表示した図柄が大当たり図柄である場合には、遊技者にとって価値ある特別遊技状態が生起するパチンコ機であって、前記大当たり図柄を確定表示する場合の内の少なくとも一部の場合に、その確定表示の前に、確定表示する大当たり図柄と同一あるいは異なる大当たり図柄を、遊技者に認識させ得る態様で一旦表示するとともに、前記大当たり図柄として、特定大当たり図柄と非特定大当たり図柄とが予め設定されており、確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、前記特定大当たり図柄を一旦表示した場合には、非特定大当たり図柄を確定表示しないことを特徴とするパチンコ機。」を
　「複数の図柄を表示可能な複数の表示部位を有する図柄表示部が設けられており、図柄変動開始信号によりその図柄表示部の各表示部位に表示された図柄が変動を開始し、所定時間後に確定表示し、確定表示した図柄の組み合わせが大当たり図柄である場合には、遊技者にとって価値ある特別遊技状態が生起するパチンコ機であって、前記大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示するとともに、前記大当たり図柄として、特定大当たり図柄と非特定大当たり図柄とが予め設定されており、確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、前記特定大当たり図柄を一旦表示した場合には、非特定大当たり図柄を確定表示しないことを特徴とするパチンコ機。」と訂正する。
訂正事項ｂ
　明細書中【０００６】欄の
　「かかる本発明は、複数の図柄を表示可能な図柄表示部が設けられており、図柄変動開始信号によりその図柄表示部の図柄が変動を開始し、所定時間後に確定表示し、確定表示した図柄が大当たり図柄である場合には、遊技者にとって価値ある特別遊技状態が生起するパチンコ機であって、前記大当たり図柄を確定表示する場合の内の少なくとも一部の場合に、その確定表示の前に、確定表示する大当たり図柄と同一あるいは異なる大当たり図柄を、遊技者に認識させ得る態様で一旦表示することを特徴としている。」を
　「かかる本発明は、複数の図柄を表示可能な複数の表示部位を有する図柄表示部が設けられており、図柄変動開始信号によりその図柄表示部の各表示部位に表示された図柄が変動を開始し、所定時間後に確定表示し、確定表示した図柄の組み合わせが大当たり図柄である場合には、遊技者にとって価値ある特別遊技状態が生起するパチンコ機であって、前記大当たり図柄を確定表示する場合の内の少なくとも一部の場合に、その確定表示の前に、リーチ図柄を揺り動かす態様で表示し、しかる後、確定表示する大当たり図柄と同一あるいは異なる大当たり図柄を、遊技者に認識させ得る態様で一旦表示することを特徴としている。」と訂正する。
　訂正事項ｃ
　明細書中【００５４】欄の
　「その確定表示の前に、確定表示する大当たり図柄と同一あるいは異なる大当たり図柄が、遊技者に認識させうる態様で一旦表示されるので」を
　「その確定表示の前に、リーチ図柄が揺れ動く態様で表示され、しかる後、確定表示する大当たり図柄と同一あるいは異なる大当たり図柄が、遊技者に認識させうる態様で一旦表示されるので」と訂正する。
（５４）【発明の名称】
パチンコ機
（５７）【特許請求の範囲】
　【請求項１】　複数の図柄を表示可能な
複数の表示部位を有する
各表示部位に表示された
図柄の組み合わせ
　前記大当たり図柄を確定表示する場合の内の少なくとも一部の場合に、その確定表示の前に、
リーチ図柄を揺り動かす態様で表示し、しかる後、
　前記大当たり図柄として、特定大当たり図柄と非特定大当たり図柄とが予め設定されており、
　確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起し、かつ、
　前記特定大当たり図柄を一旦表示した場合には、非特定大当たり図柄を確定表示しないことを特徴とするパチンコ機。
【発明の詳細な説明】
　【０００１】
　【発明の属する技術分野】
　本発明は、パチンコ機に関するものであり、詳しくは、図柄を変動表示する図柄表示部が設けられており、その図柄表示部に表示される図柄の組み合わせが特定の組み合わせとなった場合に遊技者にとって有利な「大当たり状態」が生起する、いわゆる図柄合わせタイプのパチンコ機に関するものである。
　【０００２】
　【従来の技術】
　図柄合わせタイプのパチンコ機としては、たとえば３つの特別図柄を表示可能な特別図柄表示部が設けられており、遊技球が所定の領域を通過、あるいは所定の入賞口に入賞することにより、普通図柄表示部の図柄が変動を開始し、所定時間後に「当たり図柄」が表示された場合に普通電動役物が開成し、開成中あるいは閉成中の普通電動役物に遊技球が入賞することにより特別図柄表示部の特別図柄が変動を開始し、所定時間後に順々に停止表示となるとともに、「大当たり図柄」と称される所定の図柄の組み合わせ（たとえば「７，７，７」）が表示された場合に、「大当たり」となり、遊技者にとって有利な「大当たり状態」が生起するもの（いわゆる普通電動役物付き第１種パチンコ機、以下、単に第１種パチンコ機という）が知られている。
　【０００３】
　通常の図柄合わせタイプのパチンコ機においては、予め複数種類の図柄の組み合わせが「大当たり図柄」として設定されている。また、機種によっては、その「大当たり図柄」が、「特定図柄」と「非特定図柄」に分けられており、「特定図柄」が表示されて「大当たり」が生起した場合には、「大当たり状態」終了後、次の「大当たり」が生起するまでの間、普通図柄が「当たり」となる確率を高めたり、普通図柄の変動時間を短縮したりして、普通電動役物への入賞率を増加させて遊技球がほとんど減少しない状態を生起させるとともに、特別図柄の変動回数を増大させて「大当たり」を生起し易くし、「非特定図柄」が表示されて「大当たり」が生起した場合に比べて遊技者にとって有利となるように設定しているものもある。
　【０００４】
　【発明が解決しようとする課題】
　しかしながら、従来のパチンコ機は、「大当たり図柄」が表示された場合であっても、「特定図柄」が表示された場合と「非特定図柄」が表示された場合とでは「大当たり状態」終了後の遊技内容に違いがあるので、遊技者は、「非特定図柄」が表示されて「大当たり」が生起しても大して感動せず、かかる事態の連続により、遊技に対する興味を失い易かった。また、「特定図柄」が表示された場合と「非特定図柄」が表示された場合とでは「大当たり状態」終了後の遊技内容に違いがあるため、３つの特別図柄の変動後に「大当たり図柄」に含まれる特別図柄を順々に２つ表示した場合であっても、先に表示された２つの特別図柄が「非特定図柄」に含まれるものである場合には、遊技者はさして大きな期待を抱かず、かかる事態の繰り返しにより、遊技に対する興味を失うこともあった。さらに、従来のパチンコ機は、各特別図柄の変動開始から停止表示開始までの間（たとえば、約６秒間）、特別図柄表示部に各特別図柄が変動している様子を表示するだけであるので、遊技者は、かかる単調な時間の連続によって、遊技に対する興味を失うこともあった。
　【０００５】
　本発明の目的は、上記の課題を解消し、遊技内容が新鮮で趣向性が高く、遊技者がいつまでも興味を持って遊技することが可能なパチンコ機を提供することにある。
　【０００６】
　【課題を解決するための手段】
　かかる本発明は、複数の図柄を表示可能な
複数の表示部位を有する
各表示部位に表示された
図柄の組み合わせ
リーチ図柄を揺り動かす態様で表示し、しかる後、
　【０００７】
　また、本発明は、前記大当たり図柄として、特定大当たり図柄と非特定大当たり図柄とが予め設定されており、確定表示された図柄が特定大当たり図柄である場合には、遊技者にとってきわめて価値ある第１の特別遊技状態が生起し、確定表示された図柄が非特定大当たり図柄である場合には、遊技者にとって価値ある第２の特別遊技状態が生起するとともに、前記特定大当たり図柄を一旦表示した場合には、非特定大当たり図柄を確定表示しないことをも特徴としている。
　【０００８】
　【発明の実施の形態】
　以下、本発明のパチンコ機の実施の一形態を図面に基いて詳細に説明する。
　【０００９】
［実施例１］
　図１はパチンコ機の正面を示したものであり、パチンコ機１の正面の中央よりやや上方にはほぼ円形の遊技領域２が設けられている。また、図２はパチンコ機１の遊技領域２を拡大して示したものであり、遊技領域２の中央上部には、１枚の液晶板によって形成された特別図柄表示部３が設けられており、その下側にチューリップ形状の普通電動役物４が設けられている。普通電動役物４の両サイドには左ゲート５、右ゲート６がそれぞれ設けられており、さらに、普通電動役物４の下側には大入賞口７、電飾ランプ８等が配設されており、大入賞口７の下側には、普通図柄表示部９が設けられている。なお、遊技領域２には、それらの他にも種々の入賞口、風車、電飾ランプ、および多数の障害釘等が設けられている。
　【００１０】
　パチンコ機１は、発射ハンドル１４を操作することによって遊技球を遊技領域２に打ち込めるようになっており、その遊技球が大入賞口７に入賞した場合には１５個の賞品球を、その他の入賞口（普通電動役物４等）に入賞した場合には５個の賞品球を、賞品球払い出し装置（図示せず）により払い出すようになっている。
　【００１１】
　また、パチンコ機１は、左ゲート５、あるいは右ゲート６を遊技球が通過した場合に普通図柄表示部９に表示された普通図柄が変動を開始するようになっており、所定時間後に停止表示された普通図柄が特定の図柄である場合には、通常は閉成した状態になっている普通電動役物４が所定時間開成するようになっている。
　【００１２】
　さらに、普通電動役物４に遊技球が入賞した場合には、普通電動役物４に付設された入賞検出装置（図示せず）から特別図柄表示部３に図柄変動開始信号が送信され、特別図柄表示部３に表示された左図柄１０、右図柄１１、中図柄１２の各特別図柄が変動を開始するようになっている。図柄の変動は、特別図柄表示部３の液晶画面中の左図柄表示部位、右図柄表示部位、中図柄表示部位の各表示部位において、図５に示した１５図柄、すなわち「一段」、「二段」、「三段」、「四段」、「五段」、「六段」、「七段」、「八段」、「九段」、「名人」、「銀将」、「金将」、「角行」、「飛車」、「王将」の図柄が上から下へ移動する動画を表示することによって行われる。そして、所定時間後に停止表示となった各特別図柄が特定の組み合わせである場合には、遊技者にとって有利な「大当たり状態」が生起し、大入賞口７がきわめて高い確率で断続的に開成するように構成されている（なお、後述するように、各特別図柄の変動時においては、各特別図柄が一旦、ほぼ停止したように表示される場合もあるが、以下、かかる特別図柄の停止表示を「一旦停止表示」といい、変動から所定時間後の最終的な停止表示を「確定停止表示」ということもある）。また、大入賞口７は「大当たり状態」以外では開成しないようになっており、閉成状態である場合には遊技球が入賞しないようになっている。一方、普通電動役物４は、閉成時においても、開成時に比べて低い確率ではあるが、遊技球が入賞するようになっている。
　【００１３】
　一方、パチンコ機１には、普通図柄の「小当たり」を決定するカウンタであるＦＲＡＮ、普通図柄の「はずれ図柄」を決定するカウンタであるＨＺＦＣ、「大当たり」の生起を決定するカウンタであるＴＲＡＮ、特別図柄表示部３に表示される各特別図柄の内の左図柄１０を決定するカウンタであるＨＺＡＣ、右図柄１１を決定するカウンタであるＨＺＢＣ、中図柄１２を決定するカウンタであるＨＺＣＣ等の各カウンタが内蔵されている。
　【００１４】
　普通図柄の「小当たり」を決定するＦＲＡＮは、電源投入時から０〜９９（１００通り）の間を約０．４０９秒毎に１ずつ加算しながらループカウント（最大値９９の次には最小値０に戻る）しており、普通図柄の「はずれ図柄」を決定するＨＺＦＣは、電源投入時から０〜４（５通り）の間を約０．０２０秒毎に１ずつ加算しながらループカウントしている。ＨＺＦＣのカウンタ値とそのカウンタ値に対応した「普通図柄」との関係を図３に示す。
　【００１５】
　一方、「大当たり」の生起を決定するＴＲＡＮは、電源投入時から０〜３２９（３３０通り）の間を約０．６７５秒毎に１ずつ加算しながらループカウントしている。また、左図柄１０を決定するＨＺＡＣは、電源投入時から０〜１４（１５通り）の間を約０．００２秒毎に１ずつ加算しながら約０．０３０秒の周期でループカウントしており、右図柄１１を決定するＨＺＢＣは、ＨＺＡＣが１４から０になるときに０〜１４（１５通り）の間を約０．０３０秒毎に１ずつ加算しながら０．４６０秒の周期でループカウントしており、中図柄１２を決定するＨＺＣＣは、ＨＺＢＣが１４から０になるときに０〜１４（１５通り）の間を０．４６０秒毎に１ずつ加算しながら約６．９１２秒の周期でループカウントしている。なお、ＨＺＡＣ，ＨＺＢＣ，ＨＺＣＣのカウンタ値とそのカウンタ値に対応した図柄との関係は図４に示した通りである。
　【００１６】
　なお、パチンコ機１においては、左図柄１０、右図柄１１、中図柄１２として、図５に示した１４通りの図柄の内の何れかが表示されるようになっており、左図柄１０、右図柄１１、中図柄１２の全て同一な図柄の組み合わせ、すなわち、「一段，一段，一段」、「二段，二段，二段」、「三段，三段，三段」、「四段，四段，四段」、「五段，五段，五段」、「六段，六段，六段」、「七段，七段，七段」、「八段，八段，八段」、「九段，九段，九段」、「名人，名人，名人」、「銀将，銀将，銀将」、「金将，金将，金将」、「角行，角行，角行」、「飛車，飛車，飛車」、「王将，王将，王将」の１５通りの図柄の組み合わせが「大当たり図柄」として設定されている。
　【００１７】
　また、パチンコ機１は、特別図柄表示部３に「三段，三段，三段」、「七段，七段，七段」、「名人，名人，名人」、「王将，王将，王将」の何れかの「大当たり図柄」（以下、「特定図柄」といい、「特定図柄」以外の「大当たり図柄」を「非特定図柄」という）が表示されたことによって「大当たり」が生起した場合（以下、「特定大当たり」といい、「非特定図柄」の表示によって「大当たり」が生起した場合を「非特定大当たり」という）には、「大当たり状態」が終了した後に、「大当たり」の生起確率、および普通図柄の「小当たり」の生起確率が高くなる「高確率状態」が生起するように構成されている（以下、「高確率状態」以外の状態を「低確率状態」という）。
　【００１８】
　以下、実施例１のパチンコ機１の作動内容について説明する。
　【００１９】
　遊技者によって遊技領域２に打ち込まれた遊技球が左ゲート５あるいは右ゲート６を通過することにより、普通図柄表示部９に表示された普通図柄が変動を開始する。一方、遊技球が左ゲートまたは右ゲートを通過した瞬間のＦＲＡＮの値が、（その回の）普通図柄の当たり判定データとして記憶される。そして、普通図柄の変動開始と同時に、記憶されている判定データが取り出され、普通図柄の当たり判定が行われる。判定データが「１１，１３，２３，３１，４１，５３，６１，７１，８３，９７」の場合（１０通り）は「小当たり」、その他の場合（９０通り）は「はずれ」となる。このように「低確率状態」においては、普通図柄が「小当たり」となる確率は１０／１００である。
　【００２０】
　当たり判定の結果、「小当たり」と判定されれば、普通図柄表示部９に「７」が表示されるとともに、普通電動役物４が約０．４０１秒間開成する。また、「はずれ」と判定されれば、そのときのＨＺＦＣのカウンタ値に対応した図柄（図３参照）が普通図柄表示部９に表示される。なお、普通図柄の変動中、または普通電動役物４の開成中に遊技球が左ゲート５または右ゲート６を通過したときは、次回以降の普通図柄始動記憶として最高４個まで記憶される。また、低確率状態における普通図柄の変動時間は、約１９．９９６秒である。さらに、普通図柄の変動開始から停止表示に至るまでのタイムチャートは、図６に示した通りである。
　【００２１】
　そして、普通電動役物４に遊技球が入賞した場合には、特別図柄表示部３の左図柄１０、右図柄１１、中図柄１２が変動を開始する（なお、上述したように、普通電動役物４は閉成している場合であっても遊技球が入賞するようになっている）。
　【００２２】
　さらに、遊技球が普通電動役物４に入賞した場合には、その瞬間のＴＲＡＮ、ＨＺＡＣ、ＨＺＢＣ、ＨＺＣＣの各カウンタの値が記憶される。なお、特別図柄の変動中、あるいは「大当たり状態」中に遊技球が普通電動役物４に入賞したときは、次回以降の特別図柄始動記憶として最高４個まで記憶する。
　【００２３】
　ＴＲＡＮ、ＨＺＡＣ、ＨＺＢＣ、ＨＺＣＣの各カウンタの値が記憶された後には、まず、ＴＲＡＮの値が取り出され、大当たり判定が行われる。低確率状態においては、ＴＲＡＮの値が「７３」の場合に「大当たり」と判定され、「７３」以外の場合には「はずれ」と判定される。
　【００２４】
　「大当たり」と判定された場合には、記憶されているＨＺＣＣの値が取り出され、各特別図柄の変動開始から所定時間後に、そのＨＺＣＣの値に対応した図柄が、新たな左図柄１０、右図柄１１、中図柄１２として、特別図柄表示部３に表示される。したがって、特別図柄表示部３には、前述の如き左図柄１０、右図柄１１、中図柄１２がすべて同一の「大当たり図柄」が表示される。
　【００２５】
　一方、「はずれ」と判定された場合は、各特別図柄の変動開始から所定時間後に、記憶されているＨＺＡＣ、ＨＺＢＣ、ＨＺＣＣの値に対応した図柄（図４参照）が、それぞれ、新たな左図柄１０、右図柄１１、中図柄１２として、特別図柄表示部３に表示される。ただし、記憶されているＨＺＡＣ、ＨＺＢＣ、ＨＺＣＣの値が「大当たり図柄」に相当するものである場合には、ＨＺＣＣのみ記憶された値から１が減算され、その値に対応した図柄が表示される（したがって、たとえば、「はずれ」と判定された場合であって、ＨＺＡＣ＝１，ＨＺＢＣ＝１，ＨＺＣＣ＝１と記憶されている場合には、「左図柄、右図柄、中図柄」＝「二段，二段，一段」の「はずれ図柄」が停止表示される）。
　【００２６】
　なお、変動を開始した各特別図柄は、左図柄１０、右図柄１１、左図柄１２の順に停止表示となる。低確率状態においては、変動開始から約５．９５１秒後に左図柄１０が停止表示となり、左図柄１０の停止表示から約０．７８６秒後に右図柄１１が停止表示となり、右図柄１２の停止表示から約０．７８６秒後に中図柄１２が停止表示となるが、先に停止表示となった左図柄１０、右図柄１１が同一の図柄の組み合わせ、すなわち「リーチ図柄」である場合には、下記の（１）〜（６）の何れかの「リーチ動作」を実行し、右図柄１１の停止表示から中図柄１２の停止表示までの時間が延長される。なお、大当たり判定において「はずれ」と判定された場合には、下記（１）〜（６）の「リーチ動作」の内の（１）または（２）の「リーチ動作」を実行し、「大当たり」と判定された場合には、（３）〜（６）の内の何れかの「リーチ動作」を実行する。
　【００２７】
［リーチ動作（１）］
　「リーチ図柄」が表示された時点で、特別図柄表示部３の中図柄表示部位を変動中の図柄を、大当たり判定の時点で記憶されたＨＺＣＣの値に対応した図柄の６つ前の図柄と差し替えた後、中速変動Ａ（約０．４９１秒で次の図柄に切り替える）で２１図柄分だけ変動させ（したがって、中図柄表示部位には、ＨＺＣＣの値に対応した図柄が表示されることになる）、しかる後、中速変動Ｂ（約０．３２７秒で次の図柄に切り替える）で１１図柄分変動させ、さらに、約３．５５５秒間に４図柄分変動させて停止させる。なお、最後の４図柄分の図柄変動は、図柄が回転しながら上から下へと流れるかの如き動画を表示することによって行う（以下、「きりもみ変動」という）。
　【００２８】
［リーチ動作（２）］
　「リーチ図柄」が表示された時点で、特別図柄表示部３の中図柄表示部位を変動中の図柄を、大当たり判定の時点で記憶されたＨＺＣＣの値に対応した図柄の６つ前の図柄と差し替えた後、中速変動Ａで７図柄分だけ変動させ、さらに、大当たり判定の時点で記憶されたＨＺＣＣの値に対応した図柄が中図柄表示部位に表示されるまで変動させる。
　【００２９】
［リーチ動作（３）］
　「リーチ図柄」が表示された時点で、特別図柄表示部３の中図柄表示部位を変動中の図柄を、大当たり判定の時点で記憶されたＨＺＣＣの値に対応した図柄の６つ前の図柄と差し替えた後、中速変動Ａで２１図柄分変動させ、しかる後、中速変動Ｂで１１図柄分変動させ、さらに、約４．５８７秒間に５図柄分変動させて停止させる。なお、最後の５図柄分の図柄変動は、「きりもみ変動」によって行う。
　【００３０】
［リーチ動作（４）］
　「リーチ図柄」が表示された時点で、特別図柄表示部３の中図柄表示部位を変動中の図柄を、左図柄表示部位・右図柄表示部位に表示されている図柄に差し替え、一旦停止表示する（この時点で、左図柄表示部位・右図柄表示部位・中図柄表示部位には、「大当たり図柄」が表示されることになる）。しかる後、左図柄表示部位・右図柄表示部位・中図柄表示部位に表示された３つの図柄を、中速変動Ｃ（約０．４５８秒で次の図柄と切り替える）で２５図柄変動させた後、さらに、その速度のまま、大当たり判定の時点で記憶されたＨＺＣＣの値に対応した図柄が表示されるまで変動させる。
　【００３１】
［リーチ動作（５）］
　この「リーチ動作」においては、大当たり判定の時点で記憶されたＨＺＢＣの値に対応した図柄が、上下に揺れているかの如き態様で、左図柄表示部位・右図柄表示部位に表示されることによって（以下、コマずれ表示態様という）、「リーチ図柄」が表示されているが、「リーチ図柄」が表示された時点で、中図柄表示部位を変動中の図柄を、左図柄表示部位・右図柄表示部位に表示する図柄の６つ前の図柄と差し替える。しかる後、その中図柄表示部位で変動中の図柄を、中速変動Ａで２１図柄分変動させ、さらに、中速変動Ｂで１１図柄分変動させた後、約４．５８７秒間に５図柄分変動させて、一旦、約０．４９１秒間停止表示する（この時点で、左図柄表示部位・右図柄表示部位・中図柄表示部位には、「大当たり図柄」が表示されることになる）。そして、左図柄表示部位・右図柄表示部位・中図柄表示部位に表示された３つの図柄を、中速変動Ｄ（約０．２４５秒で次の図柄に切り替える）で２．２６９秒間変動させ、それらの変動中の３つの図柄を、大当たり判定の時点で記憶されたＨＺＣＣの値に対応した図柄に差し替えて停止させる。
　【００３２】
［リーチ動作（６）］
　「リーチ図柄」が表示された時点で、特別図柄表示部の中図柄表示部位を変動中の図柄を、左図柄表示部位・右図柄表示部位に表示されている図柄に差し替え、中速変動Ｃで２５図柄分変動させた後、その速度のまま、大当たり判定の時点で記憶されたＨＺＢＣの値に対応した図柄が表示されるまで変動させてから、一旦、約０．４９１秒間停止表示する（この時点で、左図柄表示部位・右図柄表示部位・中図柄表示部位には、「大当たり図柄」が表示されることになる）。しかる後、左図柄表示部位・右図柄表示部位・中図柄表示部位に表示された３つの図柄を、中速変動Ｄで約２．２６９秒間変動させた後、大当たり判定の時点で記憶されたＨＺＣＣの値に対応した図柄が表示されるまで変動させる。
　【００３３】
　なお、上記の（４）〜（６）の「リーチ動作」における「一旦停止表示」は、最終的に特別図柄を停止表示する「確定停止表示」と異なり、各特別図柄を、完全に停止させず、各図柄表示部位において僅かな上下振動をさせる等の態様で表示する。一方、上記の（５）および（６）の「リーチ動作」においては、一旦「特定図柄」が表示されたにも拘らず図柄の再変動の後に「非特定図柄」が表示されることによって遊技者が不愉快な思いをする、という事態を回避するため、一旦、停止表示された左図柄１０、右図柄１１、中図柄１２の組み合わせが「特定図柄である場合には、再度図柄が変動することなく「大当たり」が生起するようになっている。また、特別図柄の変動開始から停止表示に至るまでのタイムチャートは、図７に示した通りである。
　【００３４】
　そして、「リーチ動作」の後、「大当たり図柄」が表示された場合（「確定停止表示」された場合）には、遊技者にとって有利な「大当たり状態」が生起する。「大当たり状態」が生起すると、所定の電飾ランプが点滅し、効果音が発生して、雰囲気が盛り上げられる。
　【００３５】
　また、「大当たり状態」が生起すると、大入賞口７が、２５秒間、あるいは９個の遊技球の入賞を検出するまで開成する。なお、図８に示す如く、大入賞口７の内部には載置部１３が設けられており、大入賞口７の開成中に１個の遊技球を載置できるようになっている。大入賞口７の開成中に載置部１３に遊技球が載置された場合には、大入賞口７が閉成する際に載置されている遊技球が大入賞口７の後方に流下し、特定領域（図示せず）を通過するようになっており、一旦大入賞口７が閉成してから約２秒後に再度開成する（すなわち、大入賞口７の開成時に遊技球が載置部１３に載置されると大入賞口７は断続的に開成動作を繰り返す）。なお、１回の「大当たり状態」においては、大入賞口７は最高１６回まで断続的に開成するようになっている。
　【００３６】
　さらに、特別図柄表示部３に「特定図柄」が表示（「確定停止表示」）されて「大当たり」が生起した場合には、「大当たり」終了後に、遊技者にとって有利な「高確率状態」が生起する。なお、「高確率状態」が生起した場合には、所定の電飾ランプが点滅し、かかる事態が周囲に報知される。
　【００３７】
　「高確率状態」においては、普通図柄の当たり判定で、記憶されているＦＲＡＮの値が、３〜９９（９７通り）である場合に、普通図柄の「小当たり」が生起する。このため、普通図柄の「小当たり」の生起確率は９７／１００に増大する。また、これに加えて、大当たり判定で、記憶されているＴＲＡＮの値が「７３，１０３，１３７，１７９，２５１」の場合に「大当たり」と判定される。このため、「大当たり」の生起確率は５／３３０に増大する。
　【００３８】
　さらに、「高確率状態」においては、普通図柄の変動時間が短縮されるため、普通電動役物４が頻繁に開成するようになるし、普通電動役物４の開成時間が２．３秒に延長され、遊技球が高い頻度で普通電動役物４に入賞し易くなるので、遊技者は、多くの賞品球を獲得することができ、ほとんど遊技球を消費しない。その上、特別図柄の変動回数が増大するとともに、上述の如く「大当たり」の生起確率が増大するため、きわめて高い確率で「大当たり」が生起することになる。また、「高確率状態」においては、普通図柄の変動時間ばかりでなく、特別図柄の変動時間も短縮される。
　【００３９】
　上記の如く構成された実施例１のパチンコ機は、「大当たり図柄」として「特定図柄」が表示された場合と「非特定図柄」が表示された場合とで、「大当たり状態」終了後における「高確率状態」生起の有無の違いがあるとともに、（４）、（５）、（６）のリーチ動作の如く、図柄変動時において、一旦、「非特定図柄」が表示された場合であっても、図柄の再変動後に「特定図柄」が表示される場合がある。したがって、遊技者は、図柄変動中に特別図柄表示部３にきわめて高い関心を示し、いつまでも興味を持って遊技をし続けることができる。
　【００４０】
［実施例２］
　実施例２のパチンコ機の構成は、実施例１のパチンコ機１とほぼ同一であるが、「リーチ動作」をする場合（すなわち、大当たり判定において「大当たり」と判定された場合、および、大当たり判定において「はずれ」と判定された場合であってＨＺＡＣ、ＨＺＢＣの両カウンタに記憶された値が同一である場合）における特別図柄の変動の態様が、実施例１のパチンコ機１と異なっている（なお、実施例２のパチンコ機の外観は実施例１のパチンコ機１と同様である）。
　【００４１】
　実施例２のパチンコ機１は、下記の（１）〜（６）の「図柄変動パターン」の如く、「リーチ動作」をする際の図柄変動中に、特別図柄表示部３の左図柄表示部位および右図柄表示部位に、何れかの「リーチ図柄」（場合によっては「リーチ図柄」以外の図柄）を左図柄表示部位および右図柄表示部位に一旦停止表示した後、その「リーチ図柄」を再度変動させ、所定時間後に、その「リーチ図柄」と同一、あるいは異なる「リーチ図柄」を左図柄表示部位および右図柄表示部位に確定停止表示あるいは一旦停止表示することができるように構成されている（以下、先の「リーチ図柄」の一旦停止表示を「第１段階表示」といい、後の「リーチ図柄」の確定停止表示および一旦停止表示を「第２段階表示」という）。
　【００４２】
　なお、大当たり判定において「大当たり」と判定された場合には、後述する（１）〜（６）の内の何れかの「図柄変動パターン」を実行するが、すなわち、大当たり判定において「はずれ」と判定された場合であってＨＺＡＣ、ＨＺＢＣの両カウンタに記憶された値が同一である場合には、（１）、（２）、（４）の内の何れかの「図柄変動パターン」を実行するようになっている。
　【００４３】
［図柄変動パターン（１）］
　各特別図柄の変動開始から２秒後に、「第１段階表示」として、「特定図柄」に含まれる「リーチ図柄」（すなわち、「左図柄，右図柄」＝「三段，三段」、「七段，七段」、「名人，名人」、「王将，王将」、以下、「特定リーチ図柄」という）を一旦停止表示する。そして、再度図柄を変動させた後に、「第２段階表示」として、「第１段階表示」の「特定リーチ図柄」と同一、あるいは異なる「特定リーチ図柄」を確定停止表示する。
　【００４４】
［図柄変動パターン（２）］
　各特別図柄の変動開始から２秒後に、「第１段階表示」として、「非特定図柄」に含まれる「リーチ図柄」（すなわち、「左図柄，右図柄」＝「三段，三段」、「七段，七段」、「名人，名人」、「王将，王将」以外の「リーチ図柄」、以下、「非特定リーチ図柄」という）を一旦停止表示する。そして、再度図柄を変動させた後に、「第２段階表示」として、「特定リーチ図柄」を確定停止表示する。
　【００４５】
［図柄変動パターン（３）］
　各特別図柄の変動開始から２秒後に、「第１段階表示」として、「非特定リーチ図柄」を一旦停止表示し、再度図柄を変動させた後に、「第２段階表示」として、「非特定リーチ図柄」を一旦停止表示する。しかる後、一旦停止表示になっている左図柄１０、右図柄１１と同一の図柄を中図柄表示部位に一旦停止表示した後（すなわち、左図柄表示部位・右図柄表示部位・中図柄表示部位に「非特定大当たり図柄」を表示した後）、再度全ての特別図柄を変動させて、所定時間後に、「特定図柄」、あるいは「非特定図柄」を確定停止表示する。
　【００４６】
［図柄変動パターン（４）］
　各特別図柄の変動開始から２秒後に、「第１段階表示」として、「リーチ図柄」以外の図柄を一旦停止表示し、再度図柄を変動させた後に、「第２段階表示」として、「特定リーチ図柄」を確定停止表示する。
　【００４７】
［図柄変動パターン（５）］
　各特別図柄の変動開始から２秒後に、「第１段階表示」として、「リーチ図柄」以外の図柄を一旦停止表示し、再度図柄を変動させた後に、「第２段階表示」として、「非特定リーチ図柄」を一旦停止表示する。しかる後、一旦停止表示となっている左図柄１０、右図柄１１と同一の図柄を中図柄表示部位に一旦停止表示した後（すなわち、左図柄表示部位・右図柄表示部位・中図柄表示部位に「非特定大当たり図柄」を表示した後）、再度全ての特別図柄を変動させて、所定時間後に、「特定図柄」、あるいは「非特定図柄」を確定停止表示する。
　【００４８】
［図柄変動パターン（６）］
　各特別図柄の変動開始から２秒後に、「第１段階表示」として、「非特定リーチ図柄」を一旦停止表示し、再度図柄を変動させた後に、「第２段階表示」として、「非特定リーチ図柄」を一旦停止表示する。しかる後、一旦停止表示となっている左図柄１０、右図柄１１と同一の図柄を中図柄表示部位に一旦停止表示した後（すなわち、左図柄表示部位・右図柄表示部位・中図柄表示部位に「非特定大当たり図柄」を表示した後）、再度全ての特別図柄を変動させて、所定時間後に、「特定図柄」、あるいは「非特定図柄」を確定停止表示する。
　【００４９】
　なお、上記したように、実施例２のパチンコ機１は、一旦、「特定リーチ図柄」が表示されたにも拘らず図柄の再変動の後に「非特定リーチ図柄」が表示されることによって遊技者が不愉快な思いをする、という事態を回避するため、「第１段階表示」において「特定リーチ図柄」が表示された場合には、「第２段階表示」において必ず「特定リーチ図柄」が表示されるように構成されている。同様に、「第２段階表示」において「特定リーチ図柄」が表示されて「大当たり」が生起する場合には、必ず「特定大当たり図柄」が表示されて「特定大当たり」となるようになっている。また、実施例２のパチンコ機１は、「第１段階表示」において「リーチ図柄」が表示されない場合であっても「第２段階表示」において「リーチ図柄」が表示され、場合によっては「大当たり」が生起するように構成されているため、特別図柄の変動中においては、たとえ特別図柄の変動開始から２秒を過ぎた場合であっても、遊技者の特別図柄表示部３への関心がなくなることはない。また、実施例２のパチンコ機１も、実施例１のパチンコ機と同様に、「非特定図柄」が表示された場合であっても、再度の図柄変動の後に「特定図柄」が表示されて「特定大当たり」が生起し得るように構成されている。
　【００５０】
　上記の如く構成された実施例２のパチンコ機１においては、図柄変動時に、変動開始からきわめて短い時間（約２秒）が経過した後に、一旦、「リーチ図柄」が表示され、しかる後、図柄の再変動後に再度「リーチ図柄」が表示される。したがって、遊技者は、図柄の変動開始後、直ちに「リーチ図柄」が表示されることを認識でき、従来のパチンコ機では退屈な時間であった図柄変動中においても、特別図柄表示部３にきわめて高い関心を示し、いつまでも興味を持って遊技をし続けることができる。また、先に「非特定リーチ図柄」が表示された場合であっても、図柄の再変動後に「特定リーチ図柄」が表示されて「特定図柄」が表示される場合があり、遊技内容が新鮮できわめて趣向性が高いので、実施例２のパチンコ機１によれば、遊技者は、パチンコ機１の醍醐味を十分に満喫することができる。
　【００５１】
　上記各実施例においては、本発明を、第１種のパチンコ機に応用した一例について説明したが、本発明のパチンコ機は、その他の形式のパチンコ機に応用することも可能である。また、本発明のパチンコ機の構成は、上記した実施例の態様に何ら限定されるものではなく、各種入賞口の形状および個数、障害釘の配置、普通図柄、特別図柄の表示態様、大入賞口の構造、作動内容、普通電動役物の構造および機能、「リーチ動作」の内容、「図柄変動パターン」の内容（図柄変動開始後「第１段階表示」が行われるまでの時間等）、「大当たり状態」における作動内容、「高確率状態」における作動内容（「大当たり」生起確率、普通図柄の「当たり」生起確率、普通図柄・特別図柄の変動時間、普通電動役物の開成時間等）等を、本発明の主旨を逸脱しない範囲で、必要に応じて適宜変更できる。
　【００５２】
　たとえば、遊技球が左右のゲートを通過した場合に普通図柄が変動する構成とせず、遊技球が所定の入賞口に入賞した場合に所定個数の遊技球の払い出しとともに普通図柄が変動を開始する構成とすることも可能である。
　【００５３】
　また、実施例２のパチンコ機は、「第１段階表示」において「リーチ図柄」が表示されているにも拘らず「第２段階表示」で「リーチ図柄」が表示されないケースがきわめて低い確率で起こり得るように構成することも可能である。この場合に、「第１段階表示」において通常時に表示される図柄とは異なる図柄（たとえば、アラビア数字が使用された「７段」等の如き図柄）が左図柄表示部位あるいは右図柄表示部位に表示されたときは「第２段階表示」において「リーチ図柄」が表示され、「第１段階表示」において通常時の表示される図柄（たとえば、「七段」等の如き図柄）が表示されたときは「第２段階表示」において「リーチ図柄」が表示されないように構成することも可能である。このように構成した場合には、遊技者は、「第１段階表示」があった後直ちに「第２段階表示」において「リーチ図柄」が表示されるか否かを認識できるというメリットがある。
　【００５４】
　【発明の効果】
　本発明のパチンコ機は、大当たり図柄を確定表示する場合の内の少なくとも一部の場合に、その確定表示の前に、
リーチ図柄が揺れ動く態様で表示され、しかる後、
　【００５５】
　また、本発明のパチンコ機は、「大当たり図柄」として「特定図柄」が表示された場合と「非特定図柄」が表示された場合とで、生起する「大当たり状態」の価値が異なり、かつ、図柄変動時において、一旦、「非特定図柄」が表示された場合であっても、図柄の再変動後に「特定図柄」が確定表示される場合があるとともに、一旦、「特定図柄」が表示された場合には、「非特定図柄」が確定表示される事態が起こらないので、遊技内容が新鮮できわめて趣向性が高い上、遊技者に不愉快な思いをさせることがない。したがって、本発明のパチンコ機によれば、遊技者は、パチンコ機の面白さを十分に味わうことができる。
【図面の簡単な説明】
　【図１】
　パチンコ機の正面を示す説明図である。
　【図２】
　パチンコ機の遊技領域を拡大して示す説明図である。
　【図３】
　カウンタ（ＨＺＦＣ）の値と普通図柄との関係を示す説明図である。
　【図４】
　カウンタ（ＨＺＡＣ，ＨＺＢＣ，ＨＺＣＣ）の値と特別図柄との関係を示す説明図である。
　【図５】
　特別図柄を示す説明図である。
　【図６】
　普通図柄の変動開始から停止表示に至るまでのタイムチャートである。
　【図７】
　特別図柄の変動開始から停止表示に至るまでのタイムチャートである。
　【図８】
　大入賞口を示す説明図である。
　【符号の説明】
　１・・パチンコ機、２・・遊技領域、３・・特別図柄表示部、４・・普通電動役物、５・・左ゲート、６・・右ゲート、７・・大入賞口、８・・電飾ランプ、９・・普通図柄表示部、１０・・左図柄、１１・・右図柄、１２・・中図柄、１３・・載置部、１４・・発射ハンドル。